(57)【要約】【課題】物品の動きに応じて当該物品へ照射される光の発光パターンを変化させ、照明効果を高めることが可能な発光パターン制御装置及び発光パターン制御方法等を提供する。【解決手段】本願は、物品載置板上に載置される物品に対して照射される光の発光パターンを制御する発光パターン制御装置であって、前記物品の状態の変化を検知する状態変化検知手段から、当該物品の状態の変化を示す情報を取得する情報取得手段と、前記状態の変化に応じて前記光の発光パターンを変化させる発光パターン制御手段と、を備える。【選択図】図６
2010128172.tif 000002
【特許請求の範囲】
【請求項１】
物品載置板上に載置される物品に対して照射される光の発光パターンを制御する発光パターン制御装置であって、
前記物品の状態の変化を検知する状態変化検知手段から、当該物品の状態の変化を示す情報を取得する情報取得手段と、
前記状態の変化に応じて前記光の発光パターンを変化させる発光パターン制御手段と、
を備えることを特徴とする発光パターン制御装置。
【請求項２】
請求項１に記載の発光パターン制御装置において、
前記情報取得手段は、前記状態変化検知手段により検知された、前記物品載置板上に載置された前記物品の垂直軸を中心とする回転を示す情報を取得し、
前記発光パターン制御手段は、前記物品の前記回転に応じて前記光の発光パターンを変化させることを特徴とする発光パターン制御装置。
【請求項３】
請求項１に記載の発光パターン制御装置において、
前記情報取得手段は、前記状態変化検知手段により検知された、前記物品載置板上に前記物品が載置されたことを示す情報を取得し、
前記発光パターン制御手段は、前記物品が載置される前と後とで前記光の発光パターンを変化させることを特徴とする発光パターン制御装置。
【請求項４】
請求項１に記載の発光パターン制御装置において、
前記情報取得手段は、前記状態変化検知手段により検知された、前記物品載置板上から前記物品が撤去されたことを示す情報を取得し、
前記発光パターン制御手段は、前記物品が撤去される前と後とで前記光の発光パターンを変化させることを特徴とする発光パターン制御装置。
【請求項５】
請求項１に記載の発光パターン制御装置において、
前記情報取得手段は、前記状態変化検知手段により検知された、前記物品載置板上に載置された前記物品が傾いたことを示す情報を取得し、
前記発光パターン制御手段は、前記物品の傾きに応じて前記光の発光パターンを変化させることを特徴とする発光パターン制御装置。
【請求項６】
物品載置板上に載置される物品に対して照射される光の発光パターンを制御する発光パターン制御装置であって、
前記物品の底の形状に関する情報を取得する情報取得手段と、
前記物品の底の形状に関する情報に基づき前記光の発光パターンを決定する発光パターン決定手段と、
前記決定された前記光の発光パターンで前記光を物品に対して照射させる発光パターン制御手段と、
を備えることを特徴とする発光パターン制御装置。
【請求項７】
物品載置板上に載置される物品に対して照射される光の発光パターンを制御する発光パターン制御方法であって、
前記物品の状態の変化を検知する状態変化検知手段から、当該物品の状態の変化を示す情報を取得する工程と、
前記状態の変化に応じて前記光の発光パターンを変化させる工程と、
を含むことを特徴とする発光パターン制御方法。
【請求項８】
物品載置板上に載置される物品に対して照射される光の発光パターンを制御する発光パターン制御方法であって、
前記物品の底の形状に関する情報を取得する工程と、
前記物品の底の形状に関する情報に基づき前記光の発光パターンを決定する工程と、
前記決定された前記光の発光パターンで前記光を物品に対して照射させる工程と、
を含むことを特徴とする発光パターン制御方法。
【請求項９】
物品載置板上に載置される物品に対して照射される光の発光パターンを制御するコンピュータを、
前記物品の状態の変化を検知する状態変化検知手段から、当該物品の状態の変化を示す情報を取得する情報取得手段、及び、
前記状態の変化に応じて前記光の発光パターンを変化させる発光パターン制御手段として機能させることを特徴とする発光パターン制御処理プログラム。
【請求項１０】
物品載置板上に載置される物品に対して照射される光の発光パターンを制御するコンピュータを、
前記物品の底の形状に関する情報を取得する情報取得手段、
前記物品の底の形状に関する情報に基づき前記光の発光パターンを決定する発光パターン決定手段、及び、
前記決定された前記光の発光パターンで前記光を物品に対して照射させる発光パターン制御手段として機能させることを特徴とする発光パターン制御処理プログラム。
【請求項１１】
請求項９又は１０に記載の発光パターン制御処理プログラムがコンピュータ読み取り可能に記録されていることを特徴とする記録媒体。
【発明の詳細な説明】
【技術分野】
【０００１】
本願は、物品載置板上に載置された物品に対して照射される光の発光パターンを制御する発光パターン制御装置及び方法等の技術分野に関する。
【背景技術】
【０００２】
従来から、夜間等の暗い環境下において、容器等の物品に対して光を照射することにより照明効果を演出する技術が知られている。例えば、特許文献１には、物品載置板上に物品が載置された状態でカバーを発光させることにより、当該物品が明るく照らされ、幻想的な照明効果を演出することが可能な技術が開示されている。
【特許文献１】特開２００７−１４５０８９号公報
【発明の開示】
【発明が解決しようとする課題】
【０００３】
しかしながら、従来においては、物品載置板上に載置された物品の動きに応じて当該物品へ照射する光の発光パターンを変化させることはできず、そのため、照明効果を演出することが十分とは言えなかった。
【０００４】
そこで、本願は、このような問題の解消を課題の一つとし、物品の動きに応じて当該物品へ照射される光の発光パターンを変化させ、照明効果を高めることが可能な発光パターン制御装置及び発光パターン制御方法等を提供することを目的とする。また、本願は、物品の底の形状に応じて当該物品へ照射される光の発光パターンを異ならせ、照明効果を高めることが可能な発光パターン制御装置及び発光パターン制御方法等を提供することを目的とする。
【課題を解決するための手段】
【０００５】
上記課題を解決するため、請求項１に記載の発明は、物品載置板上に載置される物品に対して照射される光の発光パターンを制御する発光パターン制御装置であって、前記物品の状態の変化を検知する状態変化検知手段から、当該物品の状態の変化を示す情報を取得する情報取得手段と、前記状態の変化に応じて前記光の発光パターンを変化させる発光パターン制御手段と、を備えることを特徴とする。
【０００６】
請求項６に記載の発明は、物品載置板上に載置される物品に対して照射される光の発光パターンを制御する発光パターン制御装置であって、前記物品の底の形状に関する情報を取得する情報取得手段と、前記物品の底の形状に関する情報に基づき前記光の発光パターンを決定する発光パターン決定手段と、前記決定された前記光の発光パターンで前記光を物品に対して照射させる発光パターン制御手段と、を備えることを特徴とする。
【０００７】
請求項７に記載の発明は、物品載置板上に載置される物品に対して照射される光の発光パターンを制御する発光パターン制御方法であって、前記物品の状態の変化を検知する状態変化検知手段から、当該物品の状態の変化を示す情報を取得する工程と、前記状態の変化に応じて前記光の発光パターンを変化させる工程と、を含むことを特徴とする。
【０００８】
請求項８に記載の発明は、物品載置板上に載置される物品に対して照射される光の発光パターンを制御する発光パターン制御方法であって、前記物品の底の形状に関する情報を取得する工程と、前記物品の底の形状に関する情報に基づき前記光の発光パターンを決定する工程と、前記決定された前記光の発光パターンで前記光を物品に対して照射させる工程と、を含むことを特徴とする。
【０００９】
請求項９に記載の発光パターン制御処理プログラムの発明は、物品載置板上に載置される物品に対して照射される光の発光パターンを制御するコンピュータを、前記物品の状態の変化を検知する状態変化検知手段から、当該物品の状態の変化を示す情報を取得する情報取得手段、及び、前記状態の変化に応じて前記光の発光パターンを変化させる発光パターン制御手段として機能させることを特徴とする。
【００１０】
請求項１０に記載の発光パターン制御処理プログラムの発明は、物品載置板上に載置される物品に対して照射される光の発光パターンを制御するコンピュータを、前記物品の底の形状に関する情報を取得する情報取得手段、前記物品の底の形状に関する情報に基づき前記光の発光パターンを決定する発光パターン決定手段、及び前記決定された前記光の発光パターンで前記光を物品に対して照射させる発光パターン制御手段として機能させることを特徴とする。
【発明を実施するための最良の形態】
【００１１】
以下、本願の最良の実施形態を添付図面に基づいて説明する。なお、以下に説明する実施の形態は、発光装置に対して本願の発光パターン制御装置等を適用した場合の実施形態である。
【００１２】
先ず、図１等を参照して、本願の一実施形態に係る発光装置の構成及び機能について説明する。
【００１３】
図１は、本実施形態に係る発光装置の概要構成例を示す図である。図１に示すように、発光装置Ｓは、発光部１ａ〜１ｃ、発光ドライバ２、センサー３（状態変化検知手段の一例）、及び制御部４等を備えて構成されている。
【００１４】
発光部１ａ〜１ｃは、例えば、夫々、発光素子（例えばＬＥＤ）等を含んで構成されており、一つの発光部は、発光ドライバ２の制御の下、赤、青、緑の何れかの色（可変）の光を発するようになっている。また、発光部１ａ〜１ｃは、物品載置台内に取り付けられている。
【００１５】
図２（Ａ）は物品載置台の側面図を、図２（Ｂ）は物品載置台の上面図を夫々示す図である。図２（Ａ），（Ｂ）に示すように、物品載置台５は、容器（例えばペットボトル）等の物品が載置される円形状の物品載置板５１、及び円筒台５２を備えて構成されている。円筒台５２の中心には円柱棒５３が取り付けられており、物品載置板５１は円筒台５２に対して回転自在に円柱棒５３に取り付けられている。
【００１６】
また、物品載置板５１と、円筒台５２の少なくとも上板５２ａは、例えば透明又は半透明の樹脂からなり、光を透過するようになっている。これにより、円筒台５２内（上板５２ａの下面側）の図２（Ｂ）に示すような位置に取り付けられた発光部１ａ〜１ｃから発せられた光は、上板５２ａ及び物品載置板５１を透過し、物品載置板５１上に物品が載置されていれば、当該物品に対して照射される。
【００１７】
発光ドライバ２は、制御部４の制御の下、発光部１ａ〜１ｃに対して駆動電流を供給することにより、発光部１ａ〜１ｃを赤、青、緑の何れかの色で発光させるようになっている。例えば、発光部１ａを赤、発光部１ｂを青、発光部１ｃを緑で、夫々発光させる。なお、発光ドライバ２は、物品載置台５内に取り付けられている。
【００１８】
センサー３は、物品の状態の変化を検知するものであり、物品載置板５１上に載置された物品の垂直軸を中心とする回転（つまり、物品載置板５１の回転）を検知する回転検知センサーと、物品載置板５１上に載置された物品による押圧を検知する押圧検知センサーと、を備えている。
【００１９】
回転検知センサーは、例えば物品載置板５１と上板５２ａとの隙間に設けられており、物品載置板５１が回転するとこれを検知し、回転していること及び回転方向を示す信号を制御部４に出力する。なお、回転検知センサーには、公知の種々の技術を適用できるので、詳しい説明を省略する。また、本実施形態においては、物品載置板５１は回転可能な構成としたが、物品載置板５１を回転可能とせず固定させておき、物品載置板５１に載置された物品の回転（ユーザが物品を回す）を検知する回転検知センサーを設けるように構成しても良い。
【００２０】
また、押圧検知センサーは、例えば透明シート状のセンサーであり、物品載置板５１の上面に密着して形成されている。つまり、この場合、上記物品は、物品載置板５１上の押圧検知センサー上に載置されることになる。押圧検知センサーにおいては、例えば、押圧によりオンする各スイッチがマトリクス状に配列されており、各スイッチのオン／オフ状態を示す信号は、制御部４により取り込まれるようになっている。例えば、容器の底には凹凸があり、容器の底の凸部と接しているスイッチはその凸部の押圧によりオンされ、そのオン状態を示す信号が制御部４に出力される。なお、押圧検知センサーの代わりに、物品の重量を検知する重量検知センサーを設けるように構成しても良い。
【００２１】
制御部４は、ＣＰＵ，ＲＯＭ，ＲＡＭ，及び不揮発性メモリ等により構成されており、例えばＲＯＭに記憶された発光パターン制御処理プログラムの実行により、本願の情報取得手段、及び発光パターン制御手段等として機能し、物品載置板５１上に載置された物品に対して照射される光の発光パターンを制御するようになっている。
【００２２】
具体的には、制御部４は、センサー３から上記物品の状態の変化を示す情報を取得し、当該状態の変化に応じて光の発光パターンを変化させる。このような物品の状態の変化は、ユーザによる物品を扱う動作（例えば、物品載置板５１上への物品の載置又は物品載置板５１からの物品の撤去、物品載置板５１上に載置されている物品の回転又は物品を傾ける）に起因する。
【００２３】
例えば、制御部４は、押圧検知センサーからの信号により物品載置板５１上に物品が載置されたことを示す情報を取得（例えば、押圧検知センサーにおける所定の複数位置にある各スイッチがオン状態にあれば物品が載置されたと判断）し、発光ドライバ２に対して制御指令を与えることにより、当該物品が載置される前と後とで光の発光パターンを変化させる。
【００２４】
図３は、物品が載置される前と後とで変化する光の発光パターンの一例を示す図である。
【００２５】
図３（Ａ）は、物品の載置前、つまり、押圧検知センサーから制御部４に対して、押圧検知センサーにおける全てのスイッチがオフ状態を示す信号の入力が有る状態における光の発光パターンを示しており、発光部１ａは赤で発光しているが、発光部１ｂ及び発光部１ｃは発光していない（消灯）。
【００２６】
一方、図３（Ｂ）は、物品の載置後、つまり、押圧検知センサーから制御部４に対して、押圧検知センサーにおける所定の複数位置にある各スイッチがオン状態を示す信号の入力が有る状態（回転検知センサーから信号は無）における光の発光パターンを示しており、発光部１ａは赤、発光部１ｂは青、発光部１ｃは緑で、夫々発光している。
【００２７】
なお、こうして載置された物品が物品載置板５１上から撤去された場合、制御部４は、押圧検知センサーからの信号により物品載置板５１上から物品が撤去されたことを示す情報を取得（例えば、押圧検知センサーにおける全てのスイッチがオフ状態にあれば物品が撤去されたと判断）し、発光ドライバ２に対して制御指令を与えることにより、当該物品が撤去される前と後とで光の発光パターンを変化させる（図３（Ｂ）の発光パターンから図３（Ａ）の発光パターンに戻す）。
【００２８】
また、制御部４は、回転検知センサーからの信号により物品載置板５１上に載置された物品（物品載置板５１）の回転及び回転方向を示す情報を取得し、当該物品の回転に応じて発光ドライバ２に対して制御指令を与えることにより、上記光の発光パターンを変化させる。
【００２９】
図４は、物品の回転に応じて変化する光の発光パターンの一例を示す図である。
【００３０】
図４（Ａ）は、物品の回転前、つまり、押圧検知センサーから制御部４に対して、押圧検知センサーにおける所定の複数位置にある各スイッチがオン状態を示す信号の入力が有り、且つ、回転検知センサーから制御部４に対して、回転していること及び回転方向を示す信号の入力が無い状態における光の発光パターンを示しており、図３（Ｂ）と同様、発光部１ａは赤、発光部１ｂは青、発光部１ｃは緑で、夫々発光している。
【００３１】
一方、図４（Ｂ）は、物品の回転中、つまり、押圧検知センサーから制御部４に対して、押圧検知センサーにおける所定の複数位置にある各スイッチがオン状態を示す信号の入力が有り、且つ、回転検知センサーから制御部４に対して、回転していること及び回転方向（この例では右方向）を示す信号の入力が有る状態における光の発光パターンを示しており、当該回転中、発光部１ａは緑→青→赤→・・・と色を変化させつつ発光し、発光部１ｂは赤→緑→青→・・・と色を変化させつつ発光し、発光部１ｃは青→赤→緑・・・と色を変化させつつ発光している。つまり、この例では、物品が右方向に回転するのに合わせて各発光色が右回転方向に変化（例えば、赤発光は、発光部１ａ→発光部１ｂ→発光部１ｃの順に移っていく）するのである。また、物品が左方向に回転している場合には、上記とは逆に、発光部１ａは青→緑→赤→・・・と色を変化させつつ発光し、発光部１ｂは緑→赤→青→・・・と色を変化させつつ発光し、発光部１ｃは赤→青→緑・・・と色を変化させつつ発光、つまり、各発光色が左回転方向に変化（例えば、赤発光は、発光部１ａ→発光部１ｃ→発光部１ｂの順に移っていく）することになる。
【００３２】
また、制御部４は、押圧検知センサーからの信号により物品載置板５１上における物品が傾いたことを示す情報を取得（例えば、物品載置板５１上に物品が正常に（傾かずに）載置されているときにオン状態にあるスイッチの数が減った場合には物品が傾いたと判断）し、当該物品の傾きに応じて発光ドライバ２に対して制御指令を与えることにより、上記光の発光パターンを変化させる。
【００３３】
図５は、物品の傾きに応じて変化する光の発光パターンの一例を示す図である。
【００３４】
図５（Ａ）は、物品の傾き前における光の発光パターンを示しており、図３（Ｂ）と同様、発光部１ａは赤、発光部１ｂは青、発光部１ｃは緑で、夫々発光している。
【００３５】
一方、図５（Ｂ）は、物品の傾き（この例では右側に傾いている）中、つまり、押圧検知センサーから制御部４に対して、押圧検知センサーにおける所定の位置にあるスイッチ（物品載置板５１上に物品が正常に（傾かずに）載置されているときにオン状態にあるスイッチの中の一部）がオン状態を示す信号の入力が有る状態における光の発光パターンを示しており、発光部１ａは赤、発光部１ｂは青で発光しているが、傾き側とは反対側の発光部１ｃは発光していない（消灯）。つまり、この例では、物品の傾く方向によって発光する発光部が変化する。例えば、物品が左側に傾いている場合、発光部１ａは赤、発光部１ｃは緑で発光するが、傾き側とは反対側の発光部１ｂは発光しないことになる。
【００３６】
なお、制御部４は、物品載置台５内に取り付けられていても良いし、物品載置台５外にあっても良い。
【００３７】
次に、図６を参照して、制御部４における発光パターン制御処理について説明する。
【００３８】
図６は、制御部４における発光パターン制御処理を示すフローチャートである。
【００３９】
図６に示す処理は、発光装置Ｓの電源オンにより開始される。なお、当該処理の開始時には、制御部４は、発光部１ａは赤で発光させ、発光部１ｂ及び発光部１ｃは発光させない制御指令を発光ドライバ２に対して与える。
【００４０】
先ず、ステップＳ１において、制御部４は、物品の状態に変化があったか否かを判断する。例えば、制御部４に入力される押圧検知センサーからの信号又は回転検知センサーからの信号に変化があったか否かにより判断される。
【００４１】
そして、物品の状態に変化があった場合には（ステップＳ１：ＹＥＳ）、制御部４は、上記状態の変化が物品の載置によるものであるか（つまり、押圧検知センサーにおける所定の複数位置にある各スイッチがオン状態を示す信号が入力されたか）否かを判別し（ステップＳ２）、物品の載置によるものである場合には（ステップＳ２：ＹＥＳ）、ステップＳ３に進み、物品の載置によるものでない場合には（ステップＳ２：ＮＯ）、ステップＳ４に進む。
【００４２】
ステップＳ３では、制御部４は、例えば、発光部１ａは赤、発光部１ｂは青、発光部１ｃは緑で、夫々発光させる制御指令（つまり、物品の載置に応じて発光パターンを変化させる制御指令）を発光ドライバ２に対して与え、ステップＳ１に戻る。これにより、当該物品が載置される前と後とで光の発光パターンが変化する。
【００４３】
ステップＳ４では、制御部４は、上記状態の変化が物品の撤去によるものであるか（つまり、押圧検知センサーにおける全てのスイッチがオフ状態を示す信号が入力されたか）否かを判別し、物品の撤去によるものである場合には（ステップＳ４：ＹＥＳ）、ステップＳ５に進み、物品の撤去によるものでない場合には（ステップＳ４：ＮＯ）、ステップＳ６に進む。
【００４４】
ステップＳ５では、制御部４は、例えば、発光部１ａは赤で発光させ、発光部１ｂ及び発光部１ｃは発光させない制御指令（つまり、物品の撤去に応じて発光パターンを変化させる制御指令）を発光ドライバ２に対して与え、ステップＳ１に戻る。これにより、当該物品が撤去される前と後とで光の発光パターンが変化する。
【００４５】
ステップＳ６では、制御部４は、上記状態の変化が物品の回転によるものであるか（つまり、押圧検知センサーにおける所定の複数位置にある各スイッチがオン状態を示す信号が入力され、且つ、回転していること及び回転方向を示す信号が入力されたか）否かを判別し、物品の回転によるものである場合には（ステップＳ６：ＹＥＳ）、ステップＳ７に進み、物品の回転によるものでない場合には（ステップＳ６：ＮＯ）、物品の傾きによるものであると判断し、ステップＳ９に進む。
【００４６】
ステップＳ７では、制御部４は、例えば、上述したように、右方向又は左方向に回転するのに合わせて各発光色が当該回転方向に変化する制御指令（つまり、物品の回転に応じて発光パターンを変化させる制御指令）を発光ドライバ２に対して与える。これにより、当該物品の回転に応じて光の発光パターンが変化する。
【００４７】
次いで、制御部４は、物品の回転による状態の変化が終了したか否かを判別し（ステップＳ８）、当該状態の変化が終了していない場合（つまり、回転検知センサーから、回転していること及び回転方向を示す信号が入力され続けている場合）には（ステップＳ８：ＮＯ）、ステップＳ７に戻って上記と同様の処理を行い、当該状態の変化が終了した場合には（ステップＳ８：ＹＥＳ）、ステップＳ１に戻る。
【００４８】
ステップＳ９では、制御部４は、例えば、発光部１ａは赤、発光部１ｂは青で発光させ、物品の傾き側とは反対側の発光部１ｃは発光させない制御指令（つまり、物品の傾きに応じて発光パターンを変化させる制御指令）を発光ドライバ２に対して与え、ステップＳ１に戻る。これにより、当該物品の傾きに応じて光の発光パターンが変化する。
【００４９】
以上の処理は、例えば発光装置Ｓの電源オフになるまで繰り返し実行される。
【００５０】
以上説明したように、上記実施形態によれば、制御部４がセンサー３から物品の状態の変化を示す情報を取得し、当該状態の変化に応じて光の発光パターンを変化させるように構成したので、ユーザによる物品の載置、撤去、回転、又は傾き等の動きに応じて当該物品へ照射される光の発光パターンを変化させ、照明効果を高めることができる。また、ユーザは、発光パターンを変えるためのスイッチを意識的に操作するのではなく、物品を扱う通常の動作の中で自動的に光の発光パターンを変化させることで、違和感無くその場の雰囲気を変えることができる。特に、物品が透明又は半透明からなる容器（ペットボトル、グラス等）であって飲物が入っている容器の場合には、これに照射される光の発光パターンが変化するとよりユーザに対して癒し等の効果を与えることができる。
【００５１】
なお、上記実施形態においては、発光装置Ｓに３つの発光部を備えた例を示したが、４つ以上の発光部を備えても良い。
【００５２】
また、例えばペットボトル等の容器の底の形状（凹凸の模様）は様々である。そこで、例えば、当該容器が物品載置板５１上に載置されたときに、制御部４は、当該容器の底の形状に関する情報を取得し、当該情報に基づき光の発光パターンを発光パターン決定手段として決定し、その発光パターンで光を物品に対して照射させるように構成すればより効果的である。この場合、例えば、物品載置板５１から容器の底までの距離を測定する測距センサーを設けると共に、より多くの発光部（例えば、数十個）を物品載置板５１の一面に例えば等間隔に設ける。そして、制御部４は、測距センサーにより測定された容器の底における各位置までの距離を当該容器の底の形状に関する情報として取得し、例えば底までの距離が最も短い位置（例えば、物品載置板５１に接している容器の底（凸部）の部分）に近い発光部を決定し、決定した発光部を発光させる制御指令を発光ドライバ２に対して与える。これにより、当該容器の底の形状に応じた発光パターンで光を照射させることができ、より照明効果を高めることができる。
【００５３】
なお、上記実施形態において、発光装置Ｓ及び物品載置台５は、車室内に設けられて使用されても良いし、レストラン、バー等に設けられ使用されても良い。
【００５４】
また、上記実施形態においては、物品として容器を例にとって説明したが、たとえば、透過性オブジェ等その他の物品であっても良い。
【図面の簡単な説明】
【００５５】
【図１】本実施形態に係る発光装置の概要構成例を示す図である。
【図２】（Ａ）は物品載置台の側面図を、（Ｂ）は物品載置台の上面図を夫々示す図である。
【図３】物品が載置される前と後とで変化する光の発光パターンの一例を示す図である。
【図４】物品の回転に応じて変化する光の発光パターンの一例を示す図である。
【図５】物品の傾きに応じて変化する光の発光パターンの一例を示す図である。
【図６】制御部４における発光パターン制御処理を示すフローチャートである。
【符号の説明】
【００５６】
１ａ〜１ｃ  発光部
２  発光ドライバ
３  センサー３
４  制御部
５  物品載置台
５１  物品載置板
５２  円筒台
Ｓ  発光装置
【図１】
2010128172.tif 000003
【図２】
2010128172.tif 000004
【図３】
2010128172.tif 000005
【図４】
2010128172.tif 000006
【図５】
2010128172.tif 000007
【図６】
2010128172.tif 000008